(57)【要約】【課題】  施肥装置が障害物に接触して破損することを防止できると共に、走行車体の乗り降りや作業中の姿勢保持が行いやすい苗移植機を提供する。【解決手段】  操縦席１の側方にサイドフロア５を設け、操縦席１の後部にリアフロア６を設けた走行車体７の後側に苗植付部１４を昇降可能に設け、リアフロア６に肥料を圃場に供給する施肥装置１９を設けた苗移植機において、サイドフロア５の外側部には、延長フロア２０と作業者の乗降する乗降ステップ２１を設け、延長フロア２０の後部には、施肥装置１９の外側部を囲繞する、乗降ステップ２１を乗降する作業者や、リアフロア６及び延長フロア２０に位置する作業者が把持可能なガード体２２を設ける。【選択図】  図１
2016140284.tif 000002
【特許請求の範囲】
【請求項１】
操縦席（１）の側方にサイドフロア（５）を設け、前記操縦席（１）の後部にリアフロア（６）を設けた走行車体（７）の後側に苗植付部（１４）を昇降可能に設け、前記リアフロア（６）に肥料を圃場に供給する施肥装置（１９）を設けた苗移植機において、
前記サイドフロア（５）の外側部には、延長フロア（２０）と作業者の乗降する乗降ステップ（２１）を設け、該延長フロア（２０）の後部には、前記施肥装置（１９）の外側部を囲繞する、前記乗降ステップ（２１）を乗降する作業者や、リアフロア（６）及び延長フロア（２０）に位置する作業者が把持可能なガード体（２２）を設けたことを特徴とする苗移植機。
【請求項２】
前記サイドフロア（５）の外側部に配置するガード体（２２）は、前記乗降ステップ（２１）の後側部に上下方向の前部ハンドル（２３）を形成し、前記リアフロア（６）の外側部上に上下方向の後部ハンドル（２４）を形成し、該前部ハンドル（２３）の上端と後部ハンドル（２４）の下端の間を段状形態に連結して中段部ハンドル（２５）を形成したことを特徴とする請求項１に記載の苗移植機。
【請求項３】
前記ガード体（２２）は、丸材を用いて前記サイドフロア（５）の外側位置に門型に形成し、前記前部ハンドル（２３）と中段部ハンドル（２５）、及び後部ハンドル（２４）を一連に形成すると共に、前記後部ハンドル（２４）の上端部には、前記施肥装置（１９）の外側方に対向して前後方向に沿う頂部ハンドル（２６）を形成したことを特徴とする請求項１または２に記載の苗移植機。
【請求項４】
前記サイドフロア（５）の外側に配置する延長フロア（２０）は、前記リアフロア（６）、及び施肥装置（１９）の横端よりも外側に突出する形状とすると共に、前記延長フロア（２０）と施肥装置（１９）との横端外側部に前記ガイドレール（２２）のハンドル部を位置させたことを特徴とする請求項１から３のいずれか１項に記載の苗移植機。
【請求項５】
前記車体（７）の左右一側部のサイドフロア（５）の外側部には、予備苗載せ台（２７）を支持して前後へ伸退して展開状態と積重状態とに切替可能の伸退予備苗枠（２８）を設け、該と反対側のサイドフロア（５）の外側部には、予備苗載せ台（２９）を支持する支持フレーム（３０）を前後方向へ旋回して、該予備苗載せ台（２９）をサイドフロア（５）の前側位置から後部位置に亘って切替旋回可能の旋回予備苗枠（３１）を設けたことを特徴とする請求項１から４のいずれか１項に記載の苗移植機。
【発明の詳細な説明】
【技術分野】
【０００１】
この発明は、苗移植機のガード体に関するものであり、施肥装置と隣接物との接触を防止すると共に、作業時の安全性を向上させるものである。
【背景技術】
【０００２】
操縦席横側のサイドフロアの乗降ステップ後端部近くに、手摺ハンドルを設ける技術（例えば、特許文献１参照）が知られている。
【先行技術文献】
【特許文献】
【０００３】
【特許文献１】特開２０１１−      １２５号公報
【発明の概要】
【発明が解決しようとする課題】
【０００４】
多条植形態の苗移植機にあっては、車体の後側に装着脱する苗植付部はもとより、施肥装置の横幅が広くなって、車体幅から外側へ張出し易い形態となる。
【０００５】
しかも、操縦席後側部のリアフロア上から苗タンクに対するマット苗の補給作業や、施肥ホッパに対する肥料補給する作業者の作業姿勢が車体中心部の重心位置から外側方へ大きく変位して作業し難くなる。
【０００６】
また、車体が左右に傾斜すると、左右の後輪上方位置に支持される施肥装置が、走行車体に隣接の障害物に接触し易くなる。
【課題を解決するための手段】
【０００７】
請求項１に記載の発明は、操縦席（１）の側方にサイドフロア（５）を設け、前記操縦席（１）の後部にリアフロア（６）を設けた走行車体（７）の後側に苗植付部（１４）を昇降可能に設け、前記リアフロア（６）に肥料を圃場に供給する施肥装置（１９）を設けた苗移植機において、前記サイドフロア（５）の外側部には、延長フロア（２０）と作業者の乗降する乗降ステップ（２１）を設け、該延長フロア（２０）の後部には、前記施肥装置（１９）の外側部を囲繞する、前記乗降ステップ（２１）を乗降する作業者や、リアフロア（６）及び延長フロア（２０）に位置する作業者が把持可能なガード体（２２）を設けたことを特徴とする苗移植機とする。
【０００８】
請求項２に記載の発明は、前記サイドフロア（５）の外側部に配置するガード体（２２）は、前記乗降ステップ（２１）の後側部に上下方向の前部ハンドル（２３）を形成し、前記リアフロア（６）の外側部上に上下方向の後部ハンドル（２４）を形成し、該前部ハンドル（２３）の上端と後部ハンドル（２４）の下端の間を段状形態に連結して中段部ハンドル（２５）を形成したことを特徴とする請求項１に記載の苗移植機とする。
【０００９】
請求項３に記載の発明は、前記ガード体（２２）は、丸材を用いて前記サイドフロア（５）の外側位置に門型に形成し、前記前部ハンドル（２３）と中段部ハンドル（２５）、及び後部ハンドル（２４）を一連に形成すると共に、前記後部ハンドル（２４）の上端部には、前記施肥装置（１９）の外側方に対向して前後方向に沿う頂部ハンドル（２６）を形成したことを特徴とする請求項１または２に記載の苗移植機とする。
【００１０】
請求項４に記載の発明は、前記サイドフロア（５）の外側に配置する延長フロア（２０）は、前記リアフロア（６）、及び施肥装置（１９）の横端よりも外側に突出する形状とすると共に、前記延長フロア（２０）と施肥装置（１９）との横端外側部に前記ガイドレール（２２）のハンドル部を位置させたことを特徴とする請求項１から３のいずれか１項に記載の苗移植機とする。
【００１１】
請求項５に記載の発明は、前記走行車体（７）の左右一側部のサイドフロア（５）の外側部には、予備苗載せ台（２７）を支持して前後へ伸退して展開状態と積重状態とに切替可能の伸退予備苗枠（２８）を設け、該と反対側のサイドフロア（５）の外側部には、予備苗載せ台（２９）を支持する支持フレーム（３０）を前後方向へ旋回して、該予備苗載せ台（２９）をサイドフロア（５）の前側位置から後部位置に亘って切替旋回可能の旋回予備苗枠（３１）を設けたことを特徴とする請求項１から４のいずれか１項に記載の苗移植機とする。
【発明の効果】
【００１２】
請求項１に記載の発明は、施肥装置（１９）の外側方位置に把持可能なガード体（２２）を設けたことにより、施肥装置（１９）が障害物等に接触し難くなるので、施肥装置（１９）の損傷を防止することができる。
【００１３】
また、サイドフロア（５）及び延長フロア（２０）のフロア幅を広く形成することにより、フロア上での作業を行い易くすると共に、この延長フロア（２０）を畦際等に接近させることができるので、作業者の乗降が容易になり、マット苗等の積降の能率が向上する。
【００１４】
また、前記乗降ステップ（２１）の後部にガイドレール（２２）のハンドル部を形成しることにより、乗降ステップ（２１）及び延長フロア（２０）上を移動する作業者が、ステップ（２１）や延長フロア（２０）等の端縁部やガード体（２２）を容易に認識できるので乗り降りや前後移動し易くなり、作業能率が向上する。
【００１５】
そして、施肥装置（１９）の側方にガード体（２２）及びこのハンドル部を設けたことにより、走行車体（７）の乗り降りの際や、施肥装置（１９）の施肥ホッパ（１６）に肥料を補給するときに、このガード体（２２）を手で把持することができるので、作業姿勢が保持し易くなり、作業の安全性が向上する。
【００１６】
しかも、延長フロア（２０）をサイドフロア（５）の外側部に形成してサイドフロア幅を広く形成したことにより、延長フロア（２０）の後部に施肥装置（１９）の側方を囲繞するガード体（２２）を構成するものであるから、構成が簡単であり、生産コストが安価になる。
【００１７】
請求項２に記載の発明は、請求項１に記載の発明の効果に加えて、延長フロア（２０）の乗降ステップ（２１）の後部に上下方向のハンドル部を有したガード体（２２）を設け、このハンドル部には、前部ハンドル（２３）と後部ハンドル（２４）との間に中段部ハンドル（２５）を形成したことにより、乗降ステップ（２１）を乗り降りするときのハンドル把持により、姿勢保持を行い易くする。
【００１８】
また、前記ガード体（２２）は、上下方向に沿う形状の前部ハンドル（２３）の上端と後部ハンドル（２４）の下端との間に段状形態に屈曲する中段部ハンドル（２５）を形成することにより、構成が簡単であり、丸材を屈曲形成して簡単に形成することができるので、部品点数の削減が図られる。
【００１９】
請求項３に記載の発明は、請求項１または２に記載の発明の効果に加えて、ガード体（２２）を丸材を用いて門型に形成することにより、構成が簡単になる。
【００２０】
また、前部ハンドル（２３）や、中段部ハンドル（２５）、後部ハンドル（２４）及び頂部ハンドル（２６）等の各ハンドルの把持部を丸材で一体に形成することにより、作業者が把持し易くなるので、作業者の把持、持ち替え及び凭れが行いやすくなり、作業性の向上が図られる。
【００２１】
そして、頂部ハンドル（２６）を施肥ホッパ（１６）の側方に形成することにより、施肥装置（１９）の側方を前後方向に亘って保護することができ、障害物に接触し難くすることができる。
【００２２】
請求項４に記載の発明は、請求項１から３のいずれか１項に記載の発明の効果に加えて、延長フロア（２０）の外側端部を、施肥装置（１９）の外側端よりも外側へ突出させたことにより、作業者がサイドフロア（５）や延長フロア（２０）上面を移動しながら、苗植付部（１４）に苗を補給したり、施肥装置（１９）に肥料を補給することができる。
【００２３】
こうした補給作業において、施肥装置（１９）の外側に構成するガード体（２２）が、施肥装置（１９）を保護すると共に、補給作業時に把持することができるので、安全な姿勢で補給作業を行うことができる。
【００２４】
また、乗降ステップ（２１）を乗降する作業者は、後側部のガード体（２２）のハンドル部を把持することによって、安全な姿勢で迅速乗降することができる。
【００２５】
請求項５に記載の発明は、請求項１から４のいずれか１項に記載の発明の効果に加えて、走行車体（７）の左右一側には、予備苗載せ台（２７）を前後方向へ伸退させて積重状態と前後に展開する展開状態とに切替える伸退予備苗枠（２８）を設けて、マット苗の伸退予備苗枠（２８）への積込を容易に行うことができ、他側部には、前後方向へ旋回可能の旋回予備苗枠（３１）を設けて、この予備苗載せ台（２９）に載せたマット苗を走行車体（７）の前側位置から後側のリアフロア（６）部へ接近させるように旋回移動させて、作業者による後方の苗タンク（１０）への苗補給作業を容易に行わせることができる。
【００２６】
作業者がサイドフロア（５）や、延長フロア（２０）上を前後方向へ移動する回数を少なくして、作業能率を向上することができる。
【図面の簡単な説明】
【００２７】
【図１】苗移植機の側面図
【図２】苗移植機の平面図
【図３】一部別実施例を示す苗移植機の側面図
【図４】センターマーカの側面図
【図５】センターマーカの正面図
【発明を実施するための形態】
【００２８】
苗移植機体は、前端部のミッションケース３５上から後側操縦席１の左右両側部との間に亘って、サイドフロア５を敷設する。また、このサイドフロア５の前端部間に亘ってフロントフロア３７を形成し、ステアリングカバー３８と操縦席１との間には、センタフロア３９を設け、操縦席１部とサイドフロア５後端部との後側部に亘って、横幅広い形態のリアフロア６を設けている。操縦席１の下側のエンジン３２とミッションケース３５上部の油圧無段変速装置４０との間をベルト伝動して、ステアリングハンドル４１側部の変速レバー４２の操作によって走行変速可能に構成している。
【００２９】
前記ミッションケース３５の左右横側部に形成のフロントアクスルハウジング４３の外側に前輪２を軸装して駆動し、走行車体７の後部のリヤアクスルハウジング４４の外側に軸装の後輪３を、ミッションケース３５の後側部から取り出される連動軸４５を介して駆動して、前後輪四輪駆動走行形態の構成としている。
【００３０】
また、前記ミッションケース３５の後側に取り出しのＰＴＯ軸４６を、苗植付部１４の入力軸４７や、施肥装置１９等に連動して、ハンドル４１横側の植付レバー４８の操作によって、伝動駆動して苗植作業、及び施肥作業することができる。
【００３１】
前記走行車体７の後側に配置する苗植付部１４は、昇降制御弁を有する油圧回路によって油圧伸縮される昇降シリンダ４９と、この昇降シリンダ４９によってリアフレーム５０に対して昇降回動される平行リンク形態のリフトリンク１５とを介して、この後端部にローリング自在に連結される。
【００３２】
苗植付部１４は、前記入力軸４６から連動される苗植連動機構を内装した苗植伝動ケースを主体とする苗植フレーム５１と、上面にマット苗を受けて左右横方向へ一定間隔往復移動する多条植形態の苗タンク１０と、この苗タンク１０の各苗取り出し口９に取り出される苗を分離保持して植え付ける多条植形態の植付装置１３と等から構成して、センタフロートとサイドフロートとからなるフロート１２に支持させて構成し、このフロート１２によって滑走されて均平された土壌面に苗を植え付けるものである。
【００３３】
前記苗植付部１４の各フロート１２の前側には、代掻きロータ５２を設けて、後輪３等で荒らされた土壌面を掻き均し、砕土して、フロート１２による均平作用を行われ易くする。
【００３４】
また、この代掻きロータ５２は、苗植フレーム５１の前側部に装着されていて、苗植付部１４と一体的に昇降されると共に、前記苗植フレーム５１に対して独立的に昇降、調節することができる。そして、各代掻きロータ５２は前側のリヤアクスルハウジング４４から取り出される連動軸５３によって回転駆動される。
【００３５】
施肥装置１９は、走行車体７の後端部のリアフレーム５０上に支持して装着される。リアフレーム５０上には左右両側のリアフェンダ４間の間隔部上に亘って、操縦席１の後側に横方向に幅広く沿うリアフロア６を設けて、このリアフロア６の上側に、二条の苗植付条を形成する苗植付装置１３二基毎に構成される操出装置１７を、左右横方向へ複数基並べた形態に配置して、この操出装置１７の上側に、粉粒剤からなる肥料を収容して各操出装置１７へ流下供給する横幅広い施肥ホッパ１６を設ける。
【００３６】
この施肥装置１９の下部には、横方向に送風筒５４を設け、この横端部のブロワー５５から搬送風圧を通して、操出装置１７から繰り出される肥料を受けて各施肥ホース１８へ案内する操出筒５６へ噴風して、各施肥ホース１８の肥料を円滑に搬出させる。
【００３７】
各施肥ホース１８は、先端部を各フロート１２の苗植付条間隔部毎に設けられる作溝器５７に臨ませて設けている。前記施肥ホッパ１６は横幅方向に亘って一連に一体的に形成して、上側の開口部を開閉可能の蓋５８を設けている。
【００３８】
サイドフロア５は、前端部のステアリングカバー３８から、センタフロア３９、及び操縦席１下のエンジンカバー５９の左右両外側部に亘って構成される。この後端部は、後輪３の上側を覆う上段部のリアフェンダ４の前部上に亘って形成されて、リアフロア６の左右両端部の前縁部に前下がり傾斜に形成の操作パネル６０を介在させて階段状に連結している。
【００３９】
この操作パネル６０には、苗植付部を昇降したり、ＰＴＯ軸クラッチを入り切りしたり、苗植条線引マーカを出し入れする等の各種操作レバーや、操作スイッチ等を配置できる。このサイドフロア５の外側縁に沿って、適宜幅の延長フロア２０を固定、又は着脱可能に設けて、サイドフロア部の幅を、後輪３の外側端よりも外側へ張り出す形態にして幅広く形成する。
【００４０】
そして、前記延長フロア２０の後端部は、リアフェンダ４の外側部位置、乃至リアフロア６の横端下部に臨ませている。又、前記リアフロア６の横端は施肥装置１９の横幅と略同幅に設定するも良く、サイドフロア５の外端縁幅よりも狭く形成している。
【００４１】
伸退予備苗枠２８は、サイドフロア５の右手側前部位置に配置し、下側の予備苗載せ台２７の上側に、上側の予備苗載せ台２７を位置させて、この上側の予備苗載せ台２７を前後一対の平行リンク６１を介して支持して、下側の予備苗載せ台２７に対して前側へ回動させて、この下側予備苗載せ台２７の前端に上側予備苗載せ台２７の後端部を略同一面状形態にしてに連接させることができる。
【００４２】
また、旋回予備苗枠３１は、サイドフロア５の左手側前部位置に配置し、上下二段形態の予備苗載せ台２９を配置する。この予備苗載せ台２９を旋回可能に支持する支持フレーム３０は、クランク状形態に形成されて、サイドフレーム５部上において立設して、上部の予備苗載せ台２９部を外回りに前後方向に旋回することができ、この旋回後端位置では、予備苗載せ台２９部を操縦席１の横側上部位置に位置させて旋回停止することができる。
【００４３】
そして、予備苗載せ台２９端時フレーム３０の上端部に対して平面上で回動可能で、予備苗載せ台２９の方向を、苗補給の行い易い方向へ向けることができる。
【００４４】
ここにおいて、操縦席１の左右両側部には、前輪２上部から後輪３上部のリアフェンダ４部に亘るサイドフロア５を設け、前記操縦席１の後側部には、左右のリアフェンダ４部間に亘るリアフロア６を形成した走行車体７の後側に、マット苗をのせて後側下部の苗タンクガイドレール８の苗取出口９へ繰出す苗タンク１０と、この苗取出口９に繰出される苗を先端部の植付爪１１で分離保持してフロート１２で均平された土壌面へ植付ける植付装置１３とからなる苗植付部１４を、リフトリンク１５を介して昇降可能に装着し、前記操縦席１の後側のリアフロア６上には、左右横方向に広い施肥ホッパ１６と、この施肥ホッパ１６から肥料を繰出す繰出装置１７と、この繰出装置１７から繰出される肥料を施肥搬送する施肥ホース１８等を有して、この施肥ホース１８によって搬送する肥料を前記苗植付部１４による苗植付土壌面へ施肥する施肥装置１９を構成する多条植形態の苗移植機において、
前記サイドフロア５の外側部には、前輪２と後輪３との間の間隔部に亘る延長フロア２０と、作業者の乗降する乗降ステップ２１とを設け、この延長フロア２０の後端部位置には、前記施肥装置１９の外側部を囲繞する形態で、前記乗降ステップ２１を乗降する作業者や、リアフロア６や、延長フロア２０に位置する作業者が把持案内しうるガード体２２を設けたことを特徴とする苗移植機のガード体の構成とする。
【００４５】
作業者（乃至運転者）が走行車体７に乗降するときは、走行車体７が高床形態であるため、後側のガード体２２を手で把持しながら、乗降ステップ２１を踏んで、延長フロア２０、又はサイドフロア５部に乗降する。
【００４６】
苗植作業中に苗植付部１４の苗タンク１０にマット苗を補給するときは、作業者がサイドフロア５、乃至延長フロア２０上面の前後方向へ移動しながら、予め搭載していた苗棚枠２８、３１上のマット苗を取出して、後方へ運んで、苗タンク１０へ供給する。
【００４７】
また、苗植作業と共に施肥作業を行うときは、施肥ホッパ−１６の肥料が減少することによって、予め延長フロア２０、乃至サイドフロア５の前端部等に搭載していた肥料袋を、後側の施肥装置１９部へ運んで、施肥ホッパ１６内へ補給する。このような作業者の苗補給や、肥料補給等の作業は、サイドフロア５の上面を前後方向へ移動しながら、このサイドフロア５や、延長フロア２０の後端部、乃至リアフロア６の上面に踏み立った姿勢で、マット苗等の補給作業を行うことが多く、作業姿勢が崩れるときは、この施肥装置１９の横外側部にあるガード体２２を手で把持したり、身体を凭れさせることによって、安全な補給作業を行うことができる。
【００４８】
また、走行車体７が高い障害物に接近しても施肥装置１９の横端が直接衝突接触することを阻止する。
【００４９】
さらに、前記ガード体２２は、丸チューブ材を用いて、リアフェンダ４部の外側位置に側面視略門形状形態に屈曲、乃至湾曲形成して、前記前部ハンドル２３と、中段部ハンドル２５、及び後部ハンドル２４を形成すると共に、後部ハンドル２４の上端部には、前記施肥ホッパ１６部の外側方位置に対向して前後方向に沿う頂部ハンドル２６を形成する。
【００５０】
前記走行車体７のサイドフロア５の外側には延長フロア２０を増設して、作業者が移動する作業フロア幅を広くして、補給作業を行い易くする。また、この延長フロア２０を前輪２、後輪３のトレッド域の外側位置に広く形成して、作業者の乗降や、補給作業等を行い易くする。
【００５１】
このように走行車体７の横側に張出す延長フロア２０の後端部には、施肥装置１９の外側部位置を囲繞する形態のガード体２２が設けられるため、作業者が乗降ステップ２１から乗降したり、延長フロア２０や、サイドフロア５上面を移動するときには、これら後側部に位置するガード体２２のいずれかの高さ位置の前部ハンドル２３、後部ハンドル２４、または中段部ハンドル２５を把持し、乃至は凭れることによって、身体の作業姿勢を安全に保持させて、作業を行い易くする。
【００５２】
作業者の乗降姿勢や、延長フロア２０上面等の作業姿勢は、上下高さ移動域が大きいが、前記ガード体２２の高さが対応設定されていて、いずれの作業姿勢位置においても、対応する適切な各ハンドル２３、２４、２５部を把持することができる。
【００５３】
前記ガード体２２は、下端部の取付部を、リアフェンダー４の前後端部において走行車体７の腹部下部側に屈曲して、走行車体７フレーム部に取付ける。この上部側のハンドル部は、前記延長フロア２０の外側位置で、かつ、乗降ステップ２１の後側部位置において、上方へ屈曲させて上端部の頂部ハンドル２６を、施肥装置１９上部の施肥ホッパ１６部の横外側方位置に形成する。また、前記各フロア４、５、６、２０等は、走行車体７２に構成する床桟上面に敷設するが、材質は、板金製や、合成樹脂板製とすることができる。
【００５４】
また、前記ガード体２２は、丸チューブ材を用いて、リアフェンダ４部の外側位置に側面視略門形状形態に屈曲形成して、前記前部ハンドル２３と、中段部ハンドル２５、及び後部ハンドル２４を一連に形成すると共に、後部ハンドル２４の上端部には、前記施肥ホッパ１６部の外側方位置に対向して前後方向に沿う頂部ハンドル２６を形成する。
【００５５】
走行車体７に搭乗している作業者は、サイドフロア５や、延長フロア２０の後端部、乃至リアフロア６の上面に踏上した姿勢で、苗植付部１３の各苗タンク１０上面にマット苗を補給したり、施肥ホッパ１６に肥料を補給することができる。このようなリアフェンダ４上側部の延長フロア２０や、リアフロア６の上面部で補給作業するとき、走行車体７が左右一側へ傾斜したり、揺動する等によって、作業者の補給作業姿勢が不安定になるときは、身体の一部を外側部のガード体２２の中段部ハンドル２５や、頂部ハンドル２６部等に身体を支持させたり、手で把持して、安定した姿勢で、苗補給等の作業を行わせることができる。
【００５６】
また、作業者が走行車体７の延長フロア２０や、サイドフロア５部に乗降するときは、この乗降ステップ２１の後端部位置で、施肥装置１９の施肥ホッパ１６横側方位置に亘って、高位置に立設されるガード体２２が形成されているため、作業者がこのガード体２２を把持し易く、下方土壌面上から、上方のリアフロア６面上のいずれの作業位置にあっても、この作業位置に対向したガード体２２の前部ハンドル２３、後部ハンドル２４、中段部ハンドル２５、乃至頂部ハンドル２６の最も把持し易いハンドル部を把持し、乃至凭れることができる。
【００５７】
そして、このガード体２２のハンドル部を把持した状態で作業者の姿勢位置を移動することができ、乗降移動するときは、ハンドル部を軽く把持した状態で、把持位置を上下の各ハンドル２３、２４、２５、２６に持ち替え摺動させることができて、ハンドルによる安全な把持姿勢を維持させることができる。
【００５８】
さらに、前記ガード体２２は、丸チューブ材を用いて側面視で門形状形態に形成するため、構成形態を簡単にして、底コストに生産することができる。又、作業者がガード体２２に把持、把持し易く、角が形成されていないため、把持、接触操作が易しくして、安全性を高める。
【００５９】
また、前記前、後部ハンドル２３、２４の間に、前後方向に亘る長さの中段部ハンドル２５と、頂部ハンドル２６を形成するため、上、下位置のいずれのブロア２０、５、６位置における作業姿勢位置においても、横側部方向の身体姿勢を支持し易くし、ハンドル部の把持を行い易くする。
【００６０】
そして、前記サイドフロア５の外側に形成する延長フロア２０を、リアフェンダ４の外側部において、外方へ幅広く張出して形成し、しかも、この延長フロア２０の後端部を、リアフロア６、及び施肥装置１９の横端よりも外側に張出した形態に形成すると共に、前記ガード体２２のハンドル２３、２４、２５、２６部を位置させて形成したことにより、走行車体７上のサイドフロア５部の横幅を、前輪２、後輪３の外側部へ広く形成して、これらサイドフロア５や、延長フロア２０上面での補助作業を行い易くする。
【００６１】
この延長フロア２０が後輪３の外側方位置に張出す形態であるため、走行車体７を畦際等に沿わせて停車することにより、延長フロア２０をより畦際等の内側部に接近させたり、畦道上面にのぞませることができ、乗降ステップ２１からの乗り降りを容易に行い、補助苗や、肥料等の積み降し作業を行い易くする。
【００６２】
また、施肥装置１９の外側部には、ガード体２２のハンドル２３、２４、２５、２６を位置させるものであるから、走行車体７走行の隣接地面上に高い畦畔や、構造物等があっても、接触、衝突し難く、施肥装置１９の構成を保護することができる。
【００６３】
さらには、前記延長フロア２０、及びガード体２２の配置形態において、サイドフロア５の前端左、右外側部には、伸退予備苗枠２８と、旋回予備苗枠３１を配置するもので、伸退予備苗枠２８は、予備苗載せ台２７を支持して前後へ伸退して展開状態と積重状態とに切替可能で、畦際からのマット苗の積込作業を容易に行わせる。
【００６４】
また、他側部の旋回予備苗枠３１は、この支持フレーム３０を前後方向へ旋回させることによって、これに支持させて回動される予備苗載せ台２９を、走行車体７の後部のリアフロア６側へ回動させて、前記サイドフロア５や、延長フロア２０の後端部、乃至リアフロア６上から、苗タンク１０や、施肥ホッパ１６に対するマット苗や、肥料の供給を行い易くする。
【００６５】
次に、主として図４、図５において、走行車体７の前端部中央位置に設けるフロントハンドル６５を横一文字形態のバーハンドルとして、このフロントハンドル６５の中央部を、走行車体７の前端下部からフロントフロア３７の前側上部にと出するハンドルアーム６６に取付けて、作業者がこのフロントハンドル６５を把持して持ち上げることによって、畦超等の走行において車体の前部を持ち上げることができる。
【００６６】
前記フロントハンドル６５は、ステアリンカバー３８正面の前照灯６７よりも高い位置に設けて、前方照明を邪魔しないように配置構成する。前記フロントハンドル６５の側端部位に押しボタン形態の緊急停止スイッチ６８を設けＬＥＤライト６９を配置する。ハンドルアーム６６の上端部にセンターマーカ７０のポール７１を設けて、上端部にマーカランプ７２を設ける。このマーカランプ７２の前側に反射カバー７３を設けて、電光を運転者側へ反射させる。
【符号の説明】
【００６７】
１  操縦席
５  サイドフロア
６  リアフロア
７  走行車体
１４  苗植付部
１９  施肥装置
２０  延長フロア
２１  乗降ステップ
２２  ガード体
２３  前部ハンドル
２４  後部ハンドル
２５  中断部ハンドル
２６  頂部ハンドル
２７  予備苗載せ台
２８  伸退予備苗枠
２９  予備苗載せ台
３１  旋回予備苗枠
【図１】
2016140284.tif 000003
【図２】
2016140284.tif 000004
【図３】
2016140284.tif 000005
【図４】
2016140284.tif 000006
【図５】
2016140284.tif 000007